(57)【要約】【課題】給紙装置から給紙される用紙に印刷装置が印刷するシステムでは、どちらか一方でも用紙の登録／設定作業を怠ってしまうと、印刷装置と給紙装置で異なる用紙が設定されている状態が生じてしまい、画像不良や給紙ジャムが発生する虞がある。【解決手段】印刷装置と、当該印刷装置に接続され前記印刷装置に給紙する給紙装置とを有する印刷システムであって、印刷装置は、印刷装置で印刷に使用する用紙を設定し、その用紙の設定に応じて、給紙装置に対して用紙の設定を行うようにユーザに促す手段を有し、給紙装置は、給紙装置から印刷装置に給紙する用紙を設定する。【選択図】  図６
2018149682.tif 000002
【特許請求の範囲】
【請求項１】
給紙装置を接続し、当該給紙装置から給紙される用紙に印刷する印刷装置であって、
前記印刷装置で印刷に使用する用紙を設定する設定手段と、
前記設定手段による用紙の設定に応じて、前記給紙装置に対して用紙の設定を行うようにユーザに促す手段と、を有し、
前記ユーザに促す手段に応じてユーザによる前記給紙装置への用紙の設定が完了したことに応じて、前記給紙装置からの給紙が可能な状態とすることを特徴とする印刷装置。
【請求項２】
前記ユーザに促す手段は、前記設定手段により設定された用紙に対する給紙パラメータを表示して、前記給紙装置に対して用紙の設定を行うようにユーザに促すことを特徴とする請求項１に記載の印刷装置。
【請求項３】
前記給紙パラメータは、用紙にエアーを吹き付ける風量を含むことを特徴とする請求項２に記載の印刷装置。
【請求項４】
前記風量は、前記用紙の坪量に基づいて決定されることを特徴とする請求項３に記載の印刷装置。
【請求項５】
前記印刷装置と前記給紙装置で設定された用紙の種類を管理する管理手段を更に有し、
前記設定手段により設定された用紙の種類が前記管理手段により管理されている用紙の種類に含まれる場合、前記ユーザに促す手段は、前記設定手段により設定された用紙の種類に対応する、前記給紙装置で設定された用紙の種類を表示して、前記給紙装置に対して用紙の設定を行うようにユーザに促すことを特徴とする請求項１乃至４のいずれか１項に記載の印刷装置。
【請求項６】
前記設定手段により設定された用紙の種類が前記管理手段により管理されている用紙の種類に含まれない場合、前記ユーザに促す手段は、前記設定手段により設定された用紙の種類に対応する給紙パラメータを表示して、前記給紙装置に対して用紙の設定を行うようにユーザに促すことを特徴とする請求項５に記載の印刷装置。
【請求項７】
前記管理手段は、前記設定手段により設定された用紙の種類と、前記給紙装置で設定された用紙の種類とを対応付けて記憶する記憶手段を有することを特徴とする請求項５又は６に記載の印刷装置。
【請求項８】
印刷装置と、当該印刷装置に接続され前記印刷装置に給紙する給紙装置とを有する印刷システムであって、
前記印刷装置は、
前記印刷装置で印刷に使用する用紙を設定する第１設定手段と、
前記第１設定手段による用紙の設定に応じて、前記給紙装置に対して用紙の設定を行うようにユーザに促す手段と、を有し、
前記給紙装置は、
前記給紙装置から前記印刷装置に給紙する用紙を設定する第２設定手段を、
有することを特徴とする印刷システム。
【請求項９】
前記印刷装置は、更に、印刷に使用する用紙の給紙元を選択する第１選択手段を有し、
前記ユーザに促す手段は、前記第１選択手段により前記給紙元として前記給紙装置が選択された場合に動作することを特徴とする請求項８に記載の印刷システム。
【請求項１０】
前記ユーザに促す手段は、前記第１設定手段により設定された用紙に対する給紙パラメータを表示して、前記給紙装置に対して用紙の設定を行うようにユーザに促すことを特徴とする請求項８又は９に記載の印刷システム。
【請求項１１】
前記給紙パラメータは、用紙にエアーを吹き付ける風量を含むことを特徴とする請求項１０に記載の印刷システム。
【請求項１２】
前記印刷装置は、前記印刷装置と前記給紙装置で設定された用紙の種類を管理する管理手段を更に有し、
前記第１設定手段により設定された用紙の種類が前記管理手段により管理されている用紙の種類に含まれる場合、前記ユーザに促す手段は、前記第１設定手段により設定された用紙の種類に対応する、前記給紙装置で設定された用紙の種類を表示して、前記給紙装置に対して用紙の設定を行うようにユーザに促すことを特徴とする請求項８乃至１１のいずれか１項に記載の印刷システム。
【請求項１３】
前記第１設定手段により設定された用紙の種類が前記管理手段により管理されている用紙の種類に含まれない場合、前記ユーザに促す手段は、前記第１設定手段により設定された用紙の種類に対応する給紙パラメータを表示して、前記給紙装置に対して用紙の設定を行うようにユーザに促すことを特徴とする請求項１２に記載の印刷システム。
【請求項１４】
前記給紙装置は、更に、前記第２設定手段が前記印刷装置に給紙する用紙を設定すると、前記印刷装置に用紙の設定を行うようにユーザに促し、前記印刷装置で用紙の設定が完了したことを受付けたことに応じて、当該印刷装置への給紙が可能な状態になることを特徴とする請求項８に記載の印刷システム。
【請求項１５】
前記印刷装置は、
前記給紙装置から給紙される用紙のジャムを検知する検知手段と、
前記検知手段がジャムを検知すると前記用紙に対応する給紙パラメータを表示する表示手段と、
前記表示手段による表示に応じて前記給紙装置で給紙パラメータを変更して再給紙させるか否かをユーザに選択させる第２選択手段を、更に有することを特徴とする請求項８乃至１４のいずれか１項に記載の印刷システム。
【請求項１６】
給紙装置を接続し、当該給紙装置から給紙される用紙に印刷する印刷装置を制御す制御方法であって、
前記印刷装置で印刷に使用する用紙を設定する設定工程と、
前記設定工程における用紙の設定に応じて、前記給紙装置に対して用紙の設定を行うようにユーザに促す工程と、を有し、
前記ユーザに促す工程により、ユーザによる前記給紙装置への用紙の設定が完了したことに応じて、前記給紙装置からの給紙が可能な状態とすることを特徴とする印刷装置の制御方法。
【請求項１７】
コンピュータを、請求項１乃至７のいずれか１項に記載の印刷装置の各手段として機能させるためのプログラム。
【発明の詳細な説明】
【技術分野】
【０００１】
本発明は、印刷システム、印刷装置とその制御方法、及びプログラムに関する。
【背景技術】
【０００２】
近年、印刷装置の性能の向上に伴い、印刷装置で扱える用紙の種類が増えている。印刷に使用される用紙は、サイズや坪量、表面性など、その用紙の特徴を示す属性で定義される。印刷装置はこれまで、より多くの属性の用紙に対処することで印刷できる用紙の種類を拡充し、ユーザの要望に幅広く対応してきた。このために印刷装置では、印刷に使用する用紙の種類を予め装置内に登録しておき、給紙段にセットされる用紙がその内のいずれに相当するかを給紙段毎に設定しておく必要がある。なぜなら印刷装置は、設定された用紙の種類に基づいて、印刷時の用紙の搬送スピード、定着器の温度、濃度の調整等の制御を可変的に行うからである。
【０００３】
従来、印刷装置への用紙の種類の登録は、その印刷装置を製造しているメーカが装置の正常稼働範囲を考慮した仕様として出荷時に行っている。またユーザが、新たに用紙の特性情報を指定し、それを新しい用紙の種類として追加することもできる。また給紙段への用紙の種類の登録は、給紙段に用紙をセットしたユーザ自身が、その印刷装置に接続されているＵＩ画面から行う。例えば、印刷装置に登録されている用紙の種類の一覧がリストとしてＵＩ画面に表示され、ユーザが、その中から給紙段にセットした用紙の種類を選択することで、給紙段に用紙の種類を登録するのが一般的である。
【０００４】
ところで、ＰＯＤ（プリント・オンデマンド）において、一つの印刷ジョブで多くの用紙を使う場合や、不特定多数のユーザが使用するオフィス環境で、各ユーザが必要とする用紙を使う場合など、様々な用途や場面で用紙の入れ替え作業が発生する。そのような場合、ユーザは、その度にＵＩ画面を操作して用紙の種類を設定する必要がある。このような用紙の入れ替えが頻繁に発生すると、ユーザの負荷が増大するだけでなく、用紙の種類の設定忘れ等のヒューマンエラーが発生する可能性も出てくる。
【０００５】
特許文献１には、ユーザが給紙段を開けるとそれを検知し、検知した給紙段の用紙の種類の登録画面をＵＩ画面に出力させることで、その登録画面をＵＩ画面に表示させるユーザの手間を軽減し、用紙種類の設定忘れを防ぐ方法が提案されている。
【先行技術文献】
【特許文献】
【０００６】
【特許文献１】特開２０００−９４８２３号公報
【発明の概要】
【発明が解決しようとする課題】
【０００７】
印刷用途が多様化する中、ユーザの要望を満たす印刷アクセサリの開発を専門とするメーカが現れている。例えば、大容量かつ高速な給紙を実現する給紙装置はその１つであり、あるメーカの印刷装置に、その給紙装置を取り付けることにより、大容量かつ高速な給紙により印刷を行うことができる。この給紙装置には、多くの種類の印刷装置と接続するためのインタフェースが設けられており、印刷装置のメーカは、このインタフェースを用いて、給紙装置に対する給紙要求、エラー発生時の挙動等を設計して実装する。ここで印刷装置をそのような給紙装置と接続する際、給紙装置への給紙信号と給紙装置から１枚用紙を排紙した事を信号として受信する部分を設計／実装するだけで印刷装置と給紙装置の接続が実現する。しかしながら、給紙装置にセットした用紙を正しく給紙するためには、印刷装置と給紙装置それぞれに設けられたＵＩ上での用紙の設定が必要になる。従って、どちらか一方でもＵＩ上の用紙の登録／設定作業を怠ってしまうと、印刷装置と給紙装置で異なる用紙が設定されている状態が生じてしまい、画像不良や給紙ジャムが発生する虞がある。
【０００８】
本発明の目的は、上記従来技術の課題を解決することにある。
【０００９】
本発明の目的は、印刷装置と給紙装置とで、異なる用紙が設定されるのを防止する技術を提供することにある。
【課題を解決するための手段】
【００１０】
上記目的を達成するために本発明の一態様に係る印刷装置は以下のような構成を備える。即ち、
給紙装置を接続し、当該給紙装置から給紙される用紙に印刷する印刷装置であって、
前記印刷装置で印刷に使用する用紙を設定する設定手段と、
前記設定手段による用紙の設定に応じて、前記給紙装置に対して用紙の設定を行うようにユーザに促す手段と、を有し、
前記ユーザに促す手段に応じてユーザによる前記給紙装置への用紙の設定が完了したことに応じて、前記給紙装置からの給紙が可能な状態とすることを特徴とする。
【発明の効果】
【００１１】
本発明によれば、印刷装置と給紙装置とで、異なる用紙が設定されるのを防止することができる。
【００１２】
本発明のその他の特徴及び利点は、添付図面を参照とした以下の説明により明らかになるであろう。なお、添付図面においては、同じ若しくは同様の構成には、同じ参照番号を付す。
【図面の簡単な説明】
【００１３】
添付図面は明細書に含まれ、その一部を構成し、本発明の実施形態を示し、その記述と共に本発明の原理を説明するために用いられる。
【図１】本発明の実施形態１に係る印刷システムの一例を示す模式図。
【図２】実施形態１に係る画像形成装置と給紙装置のハードウェア構成を説明するブロック図。
【図３】実施形態１に係る画像形成装置と給紙装置のソフトウェアモジュールを説明するブロック図。
【図４】実施形態１に係る給紙装置のＵＩパネルに表示される用紙を給紙するためのパラメータを入力する画面の一例を示す図。
【図５】実施形態１に係る画像形成装置のＵＩパネルに表示される確認画面例を示す図。
【図６】実施形態１に係る画像形成装置による処理を説明するフローチャート。
【図７】実施形態１に係る画像形成装置のＵＩパネルに表示される給紙元の選択画面例を示す図（Ａ）、画像形成装置のＵＩパネルに表示される用紙の選択画面例を示す図（Ｂ）。
【図８】実施形態１に係る画像形成装置のＵＩパネルに表示される、給紙装置での用紙設定を促す画面例を示す図（Ａ）、用紙吸着ファンと用紙捌きファンの用紙坪量に応じたパラメータを格納するテーブルを説明する図（Ｂ）（Ｃ）。
【図９】給紙装置で設定される用紙の名称を画像形成装置で管理するテーブルの一例を示す図（Ａ）、画像形成装置のＵＩパネルに表示される、給紙装置での用紙設定を促す画面例を示す図（Ｂ）、画像形成装置のＵＩパネルに表示される、給紙装置のＵＩパネルでユーザが入力した用紙の名称を受付ける画面例を示す図（Ｃ）。
【図１０】実施形態１に係る画像形成装置のＵＩパネルに表示される、給紙装置のＵＩパネルでの用紙設定を促す画面例を示す図。
【図１１】実施形態１に係る給紙装置による処理を説明するフローチャート。
【図１２】実施形態１に係る給紙装置のＵＩパネルに表示される画像形成装置での用紙設定を促す画面例を示す図。
【図１３】本発明の実施形態２に係る画像形成装置による処理を説明するフローチャート。
【図１４】実施形態２に係る画像形成装置のＵＩパネルに表示される、給紙装置のＵＩパネルで給紙パラメータを変更するか、もしくはサービスコールを行うかを設定する画面例を示す図（Ａ）と、サービスコールの時の画面例を示す図（Ｂ）。
【発明を実施するための形態】
【００１４】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１５】
［実施形態１］
図１は、本発明の実施形態１に係る印刷システムの一例を示す模式図である。この印刷システムは、画像形成装置（印刷装置）１０１と、大容量かつ高速な給紙ができる給紙装置１０７とを有している。
【００１６】
図１（Ａ）は、給紙装置１０７を接続した画像形成装置１０１の正面図で、この画像形成層１０１は、例えば電子写真方式の印刷装置である。ＵＩパネル（操作パネル）１０２は、例えば静電容量方式のタッチパネルを備えたユーザインターフェースである。また画像形成装置１０１は自身の給紙段１０３〜１０６を備え、更に給紙装置１０７と接続されており、これら給紙段１０３〜１０６及び給紙装置１０７から給紙される用紙に印刷することができる。
【００１７】
図１（Ｂ）は、給紙装置１０７を正面から見たときの断面を示す模式図、図１（Ｃ）は、給紙装置１０７を真上から見たときの模式図である。
【００１８】
ドリー１０８は、用紙捌きファン１１２を備える用紙リフタ１１０、及び、用紙台１０９と接しており、給紙装置１０７から手前（正面）方向に引き出せる仕組みとなっている。ユーザは、引き出したドリー１０８の用紙台１０９に用紙をセットし、ドリー１０８を給紙装置１０７に戻すことで用紙の補給を行うことができる。ＵＩパネル（操作パネル）１１１は、用紙台１０９にセットした用紙の給紙パラメータを入力するインタフェースである。用紙搬送部１１３は、搬送ベルト１１５及び用紙吸着ファン１１６を有している。また用紙搬送路１１４は、用紙搬送ベルト１１７を有している。
【００１９】
次に、この給紙装置１０７において、用紙を１枚給紙する仕組みについて述べる。まず用紙捌きファン１１２の送風により用紙台１０９に積載された用紙束を捌き、用紙台１０９に積載された用紙束から用紙を１枚浮かせる。このような送風による用紙捌き方法は公知なので、その詳細は割愛する。用紙吸着ファン１１６は、用紙捌きによって用紙束から浮いた状態となった１枚の用紙を吸着させ、用紙搬送ベルト１１５によって、その用紙を用紙搬送路１１４に移動させる。その後、用紙搬送路１１４に設けられた用紙搬送ベルト１１７により画像形成装置１０１に用紙を搬送して給紙する。
【００２０】
図２は、実施形態１に係る画像形成装置１０１と給紙装置１０７のハードウェア構成を説明するブロック図である。
【００２１】
先ず画像形成装置１０１のハードウェア構成を説明する。ネットワークＩ／Ｆ２０１は、ネットワークを介して、ホストコンピュータ等の他の装置と通信を行う。ＣＰＵ（Ｃｅｎｔｒａｌ  Ｐｒｏｃｅｓｓｉｎｇ  Ｕｎｉｔ／中央演算装置）２０２は、バス２１１を介して画像形成装置１０１の各部の制御や演算を行う。更に、記憶部２０７に格納されているプログラムをＲＡＭ（Ｒａｍｄｏｍ  Ａｃｃｅｓｓ  Ｍｅｍｏｒｙ）２０６に展開し、それを実行することにより、この装置の動作を制御する。ＲＡＭ２０６は、ＣＰＵ２０２から直接アクセスできる一般的な揮発性メモリで、ＣＰＵ２０２のワークエリア、及びその他一時的なデータの記憶領域として使用される。記憶部２０７は装置動作時の一時記憶領域、及び、ワークメモリとして機能する。エンジンＩ／Ｆ２０４は、プリンタエンジン２０５との通信、制御を行う。給紙段Ｉ／Ｆ２０８は、給紙段２０９との通信、制御を行う。給紙段２０９は、上述の給紙段１０３〜１０６をハード構成として総称するものである。ＵＩパネル１０２は、この画像形成装置１０１のユーザーインターフェースとして機能している。実施形態１では、ＵＩパネル１０２は静電容量方式のタッチパネルを備えたものとする。制御系Ｉ／Ｆ２１０は、給紙装置１０７とのインタフェースを制御しており、給紙装置１０７に給紙信号を出したり、給紙装置１０７から用紙の排紙を示す信号等を受け取る。
【００２２】
次に給紙装置１０７のハードウェア構成を説明する。ＣＰＵ２１２は、バス２１９を介して給紙装置１０７の各部の制御や演算を行う。ＣＰＵ２１２は、記憶部２１４に格納されているプログラムをＲＡＭ２１６に展開し、それを実行することにより給紙装置１０７を制御する。ＲＡＭ２１６は、ＣＰＵ２１２から直接アクセスできる一般的な揮発性メモリで、ＣＰＵ２１２のワークエリア、及び、その他一時的なデータ記憶領域として使用される。記憶部２１４は、装置動作時の一時記憶領域、及び、ワークメモリとして機能する。給紙段Ｉ／Ｆ２１７は、給紙段２１８との通信、制御を行う。給紙段２１８は、図１に示す給紙台１０９、用紙捌きファン１１２、用紙搬送ベルト１１５、用紙吸着ファン１１６、用紙搬送ベルト１１７等をハード構成として総称している。ＵＩパネル１１１は、給紙装置１０７のユーザーインターフェースである。制御系Ｉ／Ｆ２１５は、画像形成装置１０１とのインタフェースを制御しており、画像形成装置１０１から給紙信号を受け取り、用紙の排紙を示す信号として送信する等の動作を行う。実施形態１では、ＵＩパネル１１１は、静電容量方式のタッチパネルを備えたているものとする。
【００２３】
図３は、実施形態１に係る画像形成装置１０１と給紙装置１０７のソフトウェアモジュールを説明するブロック図である。
【００２４】
図３（Ａ）は、実施形態１に係る画像形成装置１０１のソフトウェアモジュールを説明するブロック図である。
【００２５】
画像形成装置１０１の各ソフトウェアモジュールは、画像形成装置１０１の記憶部２０７にプログラムとして格納されており、そのプログラムがＣＰＵ２０２によりＲＡＭ２０６に展開されて実行されることにより、その機能が達成される。ネットワーク制御部３０１は、ネットワークを介してホストコンピュータ等の他の装置と通信を行う。ＵＩ制御部３０２は、ＵＩパネル１０２に表示を行うとともに、ＵＩパネル１０２を介したユーザからの操作を受付ける。用紙管理部３０３は、ＵＩパネル１０２から受付けた給紙元情報と、その給紙元に設定する用紙情報を管理する。更に画像形成装置１０１と給紙装置１０７で設定される用紙の名称の対応関係を管理する。印刷ジョブ処理部３０４は、ＵＩパネル１０２を介して受付けた印刷ジョブ、或いは、ネットワークＩ／Ｆ２０１を介して受付けた印刷ジョブの処理を行うとともに、印刷の実行可否を制御する。印刷ジャム検知部３０５は、画像形成装置１０１の用紙搬送路上に設けられた不図示の各種センサからの信号に基づいて、ジャムの発生を検知する。制御データ送受信部３０６は、制御系Ｉ／Ｆ２１０を介して給紙装置１０７との間で、給紙に関する信号をやり取りする。
【００２６】
図３（Ｂ）は、実施形態１に係る給紙装置１０７のソフトウェアモジュールを説明するブロック図である。
【００２７】
給紙装置１０７の各ソフトウェアモジュールは、給紙装置１０７の記憶部２１４にプログラムとして格納されており、そのプログラムがＣＰＵ２１２によりＲＡＭ２１６に展開されて実行されることにより、その機能が達成される。ＵＩ制御部３０７は、ＵＩパネル１１１に表示を行い、更にそのＵＩパネル１１１を介してユーザからの操作を受付ける。給紙制御部３０８は、用紙管理部３０９に格納される用紙の給紙パラメータに基づいて、給紙装置１０７の用紙捌きファン１１２、用紙搬送ベルト１１５、用紙吸着ファン１１６、用紙搬送ベルト１１７等を制御して給紙を行う。給紙制御部３０８はさらに、給紙の実行可否を制御する。用紙管理部３０９は、ＵＩパネル１１１を介して受付けた用紙を給紙するための給紙パラメータを用紙ごとに管理する。制御データ送受信部３１０は、制御系Ｉ／Ｆ２１５を介して画像形成装置１０１と給紙に関する信号をやり取りする。
【００２８】
図４は、実施形態１に係る給紙装置１０７のＵＩパネル１１１に表示される用紙を給紙するためのパラメータを入力する画面４０１の一例を示す図である。この画面４０１は、ＣＰＵ２１２の指示によりＵＩ制御部３０７によって実行され、給紙装置１０７のＵＩパネル１１１に表示される。
【００２９】
このときユーザは、ＵＩパネル１１１を操作してキーボード（不図示）を表示させ、そのキーボードを操作して、画面４０１の各給紙パラメータを入力する。ここで、ユーザがキーボードから入力する各給紙パラメータについて説明する。
【００３０】
用紙名称の入力欄４０２は、用紙の名称を入力する領域であり、ここには一般的な用紙の名称、或いは、ユーザが定めた名称なども入力できる。用紙長の入力欄４０３は、用紙の搬送方向の長さを入力する領域である。用紙幅の入力欄４０４は、用紙の幅を入力する領域である。用紙の坪量入力欄４０５は、用紙の坪量を入力する領域である。領域４０６は、用紙搬送部１１３の用紙吸着ファン１１６がエアーを吹き付ける風量を入力する領域、領域４０７は、用紙捌きファン１１２がエアーを吹き付ける風量を入力する領域である。ユーザは、この画面４０１からこれら給紙パラメータを入力してＯＫボタン４０８を押下すると、用紙管理部３０９は、これら入力された給紙パラメータを記憶部２１４に格納する。
【００３１】
給紙装置１０７から給紙を行うためには、画像形成装置１０１のＵＩパネル１０２と、給紙装置１０７のＵＩパネル１１１の両方で、その給紙に関する設定を行う必要がある。画像形成装置１０１は、給紙する用紙の種類に基づいて、印刷時の用紙の搬送スピード、定着器の温度、濃度の調整等の制御を可変的に行っている。このため、給紙する用紙の種類が、設定と異なっていると用紙への画像の定着不良や給紙ジャムが発生する虞がある。また給紙装置１０７における用紙を給紙するためのパラメータの入力において、用紙吸着ファン１１６の風量、用紙捌きファン１１２の風量の入力を怠ると用紙が上手く捌けなくなったり、用紙の搬送が失敗する事態を引き起こしてしまう。また給紙装置１０７で入力された給紙パラメータと、画像形成装置１０１に設定されたパラメータとが異なる場合も用紙の搬送が失敗する事態が発生する虞がある。
【００３２】
以上の理由により、画像形成装置１０１と給紙装置１０７のいずれかで、用紙の設定を怠ったり、誤った設定がなされると給紙に失敗したり、印刷不良が発生する可能性がある。そこで、このような用紙の搬送が失敗する事態を防止する方法を以下で説明する。
【００３３】
図５は、実施形態１に係る画像形成装置１０１のＵＩパネル１０２に表示される確認画面例を示す図である。この確認画面５０１は、給紙装置１０７で設定される用紙の名称を画像形成装置１０１で管理するか否かを設定する画面例を示す。
【００３４】
この画面５０１は、ＣＰＵ２０２が、記憶部２０７からその画面情報を取り出してＵＩ制御部３０２に表示するよう指示することでＵＩパネル１０２に表示される。この画面５０１で、ユーザがＹｅｓ或いはＮｏを選択し、ＯＫボタン５０２を押下すると、ＣＰＵ２０２は、その情報を記憶部２０７に格納する。図５は、ユーザがＹｅｓを選択している状態、即ち、給紙装置１０７で設定される用紙の名称を画像形成装置１０１で管理するように指示している状態を示している。
【００３５】
図６は、実施形態１に係る画像形成装置１０１による処理を説明するフローチャートである。このフローチャートで示す処理は、ＣＰＵ２０２が記憶部２０７に記憶されているプログラムをＲＡＭ２０６に展開して実行することにより達成される。この処理は、ユーザがＵＩパネル１０２を操作して給紙元の選択を指示することにより開始される。
【００３６】
図７（Ａ）は、画像形成装置１０１のＵＩパネル１０２に表示される給紙元の選択画面例を示す図である。
【００３７】
図７（Ａ）において、給紙段の番号「１」〜「５」はそれぞれ、図１の給紙段１０３〜１０６、及び、給紙装置１０７に対応している。即ち、給紙段の番号「５」７０２は、給紙装置１０７に対応している。
【００３８】
まずＳ６０１でＣＰＵ２０２は、図７（Ａ）に示す画面をＵＩパネル１０２に表示させる。次にＳ６０２に進みＣＰＵ２０２は、ユーザがＵＩパネル１０２に表示されたその画面を介して選択した給紙元を取得し、その選択された給紙元を記憶部２０７に格納する。次にＳ６０３に処理を進めＣＰＵ２０２は、例えば図７（Ｂ）に示すような用紙選択画面をＵＩパネル１０２に表示させる。
【００３９】
図７（Ｂ）は、画像形成装置１０１のＵＩパネル１０２に表示される用紙の選択画面例を示す図である。
【００４０】
ここでＣＰＵ２０２は、登録済みの用紙名称を記憶部２０７から取得して用紙一覧７０４に表示させる。尚、図示しないが、登録される用紙は属性として用紙サイズや坪量を有する。７０７は、図４の給紙パラメータの入力画面の用紙名称４０２で入力された「a_company_heavy2」に対応する用紙の名称「Ａ社用＿厚紙２」を表示している。
【００４１】
ここでユーザが、新たな用紙の名称を指定したい場合は「新規作成」ボタン７０５を押下する。これによりＣＰＵ２０２は、不図示の用紙名称の作成画面の情報を記憶部２０７から取得してＵＩパネル１０２に表示させる。そしてユーザは、ＵＩパネル１０２に表示された、その画面を介して新規の用紙名称を作成して登録することができる。こうして作成して登録された用紙の名称は、用紙一覧７０４に追加して表示される。
【００４２】
次にＳ６０４に進みＣＰＵ２０２は、図７（Ｂ）の画面のＯＫボタン７０６が押下されたことを検知すると、その画面で選択されている用紙の種類を取得する。ここでは例えば、ユーザがＵＩパネル１０２を操作して「Ａ社用_厚紙２」７０７を選択してＯＫボタン７０６を押下すると、ＣＰＵ２０２は、その選択された「Ａ社用_厚紙２」を記憶部２０７に記録する。そして処理をＳ６０５に進める。
【００４３】
Ｓ６０５でＣＰＵ２０２は、記憶部２０７にアクセスして、Ｓ６０２で受付けた給紙元が給紙装置１０７かどうか判定する。ここで給紙元が給紙装置１０７でない場合は、この処理を終了する。一方、給紙元が給紙装置１０７であると判定するとＳ６０６に進みＣＰＵ２０２は、給紙装置１０７からの給紙を抑制してＳ６０７に処理を進める。Ｓ６０７でＣＰＵ２０２は、記憶部２０７にアクセスし、前述の図５の画面を介して設定された内容が、給紙装置１０７で設定される用紙の名称を画像形成装置１０１で管理する設定になっているかどうか判定する。ここで給紙装置１０７で設定される用紙の名称を画像形成装置１０１が管理する設定になっていないと判定すると処理をＳ６０８に進める。Ｓ６０８でＣＰＵ２０２は、図８（Ａ）の画面をＵＩパネル１０２に表示させる。
【００４４】
図８（Ａ）は、実施形態１に係る画像形成装置１０１のＵＩパネル１０２に表示される、給紙装置１０７での用紙設定を促す画面例を示す図である。
【００４５】
この画面では、給紙装置１０７のＵＩパネル１１１（操作部）で用紙の設定を行うように促すとともに、８０１で、画像形成装置１０１で現在選択されている用紙の種類を表示している。更に、その用紙に印刷を行うときの風量パラメータの推奨値８０２が表示されている。
【００４６】
図８（Ｂ）は、用紙の坪量に応じて決定される用紙吸着ファンの風量を格納するテーブルの一例を示し、図８（Ｃ）は、用紙の坪量に応じて決定される用紙捌きファンの風量を格納するテーブルの一例を示している。これらテーブルは記憶部２０７に格納されている。このときＣＰＵ２０２は、Ｓ６０４で受付けた用紙の種類に基づく坪量を記憶部２０７から取得して図８（Ｂ）（Ｃ）のテーブルにアクセスする。そして、その取得した坪量に対応する用紙吸着ファンの風量と、用紙捌きファンの風量を取得して図８（Ａ）の推奨値８０２に表示させる。こうしてユーザは図８（Ａ）の画面を確認すると、印刷を開始する準備として、給紙装置１０７でのＵＩパネル１１１での用紙の登録操作を実施する。次にＳ６０９に進みＣＰＵ２０２は、ユーザが給紙装置１０７で用紙の登録操作を完了した後、ＯＫボタン８０３を押下すると、これを受付けて処理をＳ６１０に進める。Ｓ６１０でＣＰＵ２０２は、給紙装置１０７からの給紙抑制を解除して、この処理を終了する。
【００４７】
このように画像形成装置１０１が、給紙装置１０７で設定される用紙の名称を画像形成装置１０１で管理しない場合は、給紙装置１０７での用紙の設定を行うように促すとともに、その用紙の推奨値を表示する。これにより、画像形成装置１０１のＵＩで用紙の設定を行う際、給紙装置１０７での用紙の設定作業をユーザに促すことができる。これによりユーザは、給紙装置１０７での給紙に必要な用紙の設定作業を忘れずに行うことができる。
【００４８】
次に、給紙装置１０７のＵＩパネル１１１でユーザが設定した用紙の名称を画像形成装置１０１が管理する場合を説明する。
【００４９】
ここでは、今まで給紙装置１０７に設定されたことがない用紙の名称が給紙装置１０７に設定されたときの画像形成装置１０１の処理として説明する。画像形成装置１０１が給紙装置１０７でユーザが設定した用紙の名称を管理する場合は、図５の画面５０１で、ユーザは「Ｙｅｓ」を選択してＯＫボタン５０２を押下する。これによりＣＰＵ２０２は、その情報を記憶部２０７に格納する。これにより画像形成装置１０１は、給紙装置１０７で登録した用紙の名称を画像形成装置１０１が管理することになる。
【００５０】
そしてユーザがＵＩパネル１０２を操作して給紙元の選択を指示すると図６のフローチャートで示す処理が開始される。Ｓ６０１〜Ｓ６０７は説明済みなので、その説明を割愛する。Ｓ６０７でＣＰＵ２０２は、給紙装置１０７で設定される用紙の名称を画像形成装置１０１で管理する設定になっていると判定して処理をＳ６１１に進める。Ｓ６１１でＣＰＵ２０２は、図９（Ａ）に示すテーブル９０１にアクセスする。
【００５１】
図９（Ａ）は、給紙装置１０７で設定される用紙の名称を画像形成装置１０１で管理するテーブル９０１の一例を示す。ここでは前述の給紙装置１０７で入力された名称「a_company_heavy2」が、画像形成装置１０１で「Ａ社用＿厚紙２」に対応付けられて管理されている例を示している。Ｓ６１１でＣＰＵ２０２は、記憶部２０７からＳ６０４で指定された用紙の名称がテーブル９０１に登録されているかを判定する。この用紙の名称がテーブル９０１に登録されていない場合は、新規の名称と判断して処理をＳ６１２に進める。Ｓ６１２でＣＰＵ２０２は、図９（Ｂ）の画面９０２をＵＩパネル１０２に表示させる。
【００５２】
図９（Ｂ）は、実施形態１に係る画像形成装置１０１のＵＩパネル１０２に表示される、給紙装置１０７での用紙設定を促す画面例を示す図である。
【００５３】
ここでＣＰＵ２０２は、Ｓ６０４で受付けた用紙の種類に対応する坪量を記憶部２０７から取得し、図８（Ｂ）（Ｃ）のテーブルにアクセスして、その取得した坪量に対応する用紙吸着ファンの風量と、用紙捌きファンの風量の推奨値９０３を表示させる。ユーザは、この画面９０２を確認し、印刷を開始する準備として給紙装置１０７のＵＩパネル１１１を介して用紙の登録操作を実施する。そしてＳ６１３に進みＣＰＵ２０２は、ユーザが給紙装置で用紙の登録を完了したことを、画面９０２でユーザがＯＫボタン９０４を押下したことに応じて確認し、処理をＳ６１４に進める。Ｓ６１４でＣＰＵ２０２は、図９（Ｃ）に示す画面９０５をＵＩパネル１０２に表示させる。
【００５４】
図９（Ｃ）は、実施形態１に係る画像形成装置１０１のＵＩパネル１０２に表示される、給紙装置１０７でユーザが入力した用紙の名称を受付ける画面例を示す図である。
【００５５】
ここでＣＰＵ２０２は、Ｓ６０４で受付けた用紙の名称「Ａ社用＿厚紙２」を記憶部２０７から取得して、用紙名称９０６として表示させる。尚、この画面９０５における用紙名称の入力欄９０７は、給紙装置１０７で入力された用紙の名称を入力する領域である。そして、この画面９０５を表示した後、処理をＳ６１５に進める。ここで、ユーザがＵＩパネル１０２を操作してキーボードを表示し、給紙装置１０７で入力された用紙の名称を入力欄９０７に入力してＯＫボタン９０８を押下する。これによりＣＰＵ２０２は、Ｓ６０４で受付けた用紙名称「Ａ社用_厚紙２」をテーブル９０１の「用紙名称」に登録する。更にＣＰＵ２０２は、入力欄９０７に入力された給紙装置１０７で入力された用紙の名称「a_company_heavy2」を、テーブル９０１の「給紙装置上の用紙名称」に登録する。そして処理をＳ６１０に進める。尚これ以降の処理は説明済みなので、その説明を割愛する。
【００５６】
次に、給紙装置１０７のＵＩパネル１１１でユーザが設定したことのある用紙の名称を画像形成装置１０１で管理する方法について述べる。ここでは画像形成装置１０１で、一度、給紙装置１０７で用紙の設定がなされたことのある用紙を画像形成装置１０１に設定するときの処理を示す。尚、事前のユーザ操作により、図５の画面５０１でユーザが「Ｙｅｓ」を選択した状態が記憶部２０７に格納されているものとする。つまり、画像形成装置１０１は、給紙装置１０７に登録した用紙の名称を画像形成装置１０１が管理する状態になっているものとする。
【００５７】
ユーザがＵＩパネル１０２を操作して給紙元の選択を指示することにより、図６のフローチャートで示す処理が開始される。尚、Ｓ６０１〜Ｓ６１１は説明済みなので、その説明を割愛する。
【００５８】
Ｓ６１１でＣＰＵ２０２は、図９（Ａ）に示すテーブル９０１にアクセスし、記憶部２０７からＳ６０４で指定された用紙の名称を取得し、その取得した用紙の名称がテーブル９０１に登録済みかを判定する。ここでテーブル９０１に登録済みと判定したときはＳ６１６に処理を進める。Ｓ６１６でＣＰＵ２０２は、図１０の画面１００１をＵＩパネル１０２に表示させる。
【００５９】
図１０は、実施形態１に係る画像形成装置１０１のＵＩパネル１０２に表示される、給紙装置１０７のＵＩパネル１１１での用紙設定を促す画面例を示す図である。
【００６０】
このときＣＰＵ２０２は、Ｓ６０４で受付けた用紙の名称を、例えば「Ａ社用＿厚紙２」をテーブル９０１から検索し、それに対応する、給紙装置１０７での用紙の名称を取得して、領域１００２に表示させる。そして処理をＳ６１７に進める。このときユーザは、この画面１００１を確認し、印刷を開始する準備として、給紙装置１０７でのＵＩパネル１１１での用紙の登録操作を実施する。即ち、ここでは用紙の名称として「a_company_heavy2」をＵＩパネル１１１から入力する。Ｓ６１７で、ユーザが、給紙装置１０７で用紙の登録操作を完了して、この画面１００１のＯＫボタン１００３を押下するとＣＰＵ２０２は、このＯＫボタン１００３の押下に応じて処理をＳ６１０に進める。そして、これ以降の処理は説明済みなので、その説明を割愛する。
【００６１】
以上説明したように実施形態１によれば、給紙装置で登録される用紙の名称を画像形成装置で管理するように指定できる。これにより画像形成装置で選択した用紙と給紙装置で選択された用紙との整合を取ることができる。また画像形成装置が給紙装置で登録される用紙の名称を管理していない場合、或いは、互いに設定した用紙の種類が一致しない場合は、画像形成装置が給紙装置で設定する用紙の種類をユーザに推奨できる。また一度登録した種類の用紙を使用する場合は、給紙装置で、どの用紙を選択すれば良いのかを示すＵＩをユーザに提示できる。
【００６２】
また給紙装置で登録される用紙の名称を画像形成装置で管理しているとき、画像形成装置で新規な用紙の種類（名称）が指定されると、その用紙に対応する風量パラメータの推奨値を指定して、給紙装置での用紙設定を促すことができる。そして、その給紙装置で設定され、給紙装置で管理する用紙の名称と、画像形成装置が管理する、その新規な用紙の名称との対応をテーブルとして登録できる。また以前使用したことのある用紙が画像形成装置で指定されると、その用紙に対応する、以前、給紙装置で設定された、対応する用紙の名称をユーザに提示できる。これによりユーザは、その用紙の名称を入力することにより、画像形成装置で設定された用紙に対応する用紙を給紙することができる。
【００６３】
一方、給紙装置で登録される用紙の名称を画像形成装置で管理していないときは、画像形成装置で用紙の種類（名称）が指定されると、その用紙に対応する風量の推奨値を表示し、ユーザが、その風量に対応する用紙を給紙装置で選択できるようにする。
【００６４】
次に、本発明の実施形態１に係る給紙装置１０７における用紙設定の喚起処理について説明する。
【００６５】
図１１は、実施形態１に係る給紙装置１０７による処理を説明するフローチャートである。このフローチャートで示す処理は、ＣＰＵ２１２が記憶部２１４に記憶されているプログラムをＲＡＭ２１６に展開して実行することにより達成される。この処理は、ユーザが給紙装置１０７のドリー１０８を引き出して用紙を給紙台１０９にセットし、ドリー１０８を給紙装置１０７に戻した後、ＵＩパネル１１１を操作して給紙元選択を指示することにより開始される。
【００６６】
先ずＳ１１０１でＣＰＵ２１２は、図４に示す画面４０１をＵＩパネル１１１に表示させる。そしてユーザがＵＩパネル１１１を操作してキーボードを表示し、画面４０１で用紙を給紙するためのパラメータを入力しＯＫボタン４０８を押下する。これによりＳ１１０２に進みＣＰＵ２１２は、その画面４０１を介して入力されたパラメータを記憶部２１４に格納する。次にＳ１１０３に進みＣＰＵ２１２は、給紙装置１０７からの給紙を抑制する。次にＳ１１０４に進みＣＰＵ２１２は、図１２の画面１２０１をＵＩパネル１１１に表示させる。
【００６７】
図１２は、給紙装置１０７のＵＩパネル１１１に表示される画像形成装置１０１での用紙設定を促す画面例を示す図である。
【００６８】
ここでユーザは、この画面１２０１を確認し、印刷を開始する準備として画像形成装置１０１のＵＩパネル１０２を介して用紙の登録操作を実施する。そしてユーザが、この画面１２０１でＯＫボタン１２０２を押下するとＳ１１０６に処理を進める。Ｓ１１０６でＣＰＵ２１２は、給紙装置１０７からの給紙抑制を解除し、給紙装置１０７から給紙可能な状態としてこの処理を終了する。
【００６９】
このようにして、給紙装置１０７で用紙の登録作業を行う際に、画像形成装置１０１での用紙の登録をユーザに促す。これにより、給紙装置で給紙準備として用紙の登録作業を行う際、ユーザが画像形成装置での用紙の登録を忘れてしまうのを防止することができる。
【００７０】
［実施形態２］
上述の実施形態１では、画像形成装置及び給紙装置における用紙設定の喚起処理について説明した。これに対して実施形態２では、画像形成装置１０１で印刷中に印刷ジャムが発生した場合の処理について説明する。尚、実施形態２に係る画像形成装置１０１、給紙装置１０７等のハードウェア構成等は、前述の実施形態１と同様であるため、その説明を省略する。
【００７１】
図１３は、本発明の実施形態２に係る画像形成装置１０１による処理を説明するフローチャートである。このフローチャートで示す処理は、ＣＰＵ２０２が記憶部２０７に記憶されているプログラムをＲＡＭ２０６に展開して実行することにより達成される。この処理は、給紙装置１０７から給紙して印刷を実行している時、印刷ジャムが発生して、これを検知することにより開始される。
【００７２】
まずＳ１３０１でＣＰＵ２０２は、給紙装置１０７からの給紙を抑制する。このとき、ユーザは、搬送路上で停止している、ジャム発生の原因となっている用紙を取り除いて印刷可能状態になると、印刷可能状態になった旨をＣＰＵ２０２が受付ける。こうしてＳ１３０２でＣＰＵ２０２は、ジャムが解除されたことを検知するとＳ１３０３に処理を進める。Ｓ１３０３でＣＰＵ２０２は、記憶部２０７にアクセスし図１４（Ａ）の画面１４０１の情報を取り出してＵＩパネル１０２に表示させる。
【００７３】
図１４（Ａ）は、画像形成装置１０１のＵＩパネル１０２に表示される、給紙装置１０７のＵＩパネル１１１で給紙パラメータを変更するか、もしくはサービスコールを行うかを設定する画面例を示す図である。
【００７４】
ここでＣＰＵ２０２は、給紙中の用紙の坪量を記憶部２０７から取得し、その取得した坪量に対応する用紙吸着ファンの風量と用紙捌きファンの風量とを、図８（Ｂ）（Ｃ）のテーブルから取得して、領域１４０２に表示させる。これによりユーザは、この画面１４０１を確認し、給紙装置１０７のＵＩパネル１１１で給紙パラメータを変更するか、或いは、サービスコールを行うかを選択する。Ｓ１３０４でユーザが「再給紙」ボタン１４０３、或いは「サービスコール」ボタン１４０４を押下するとＣＰＵ２０２は、その押下されたボタンの情報を記憶部２０７に格納する。次にＳ１３０５に進みＣＰＵ２０２は、記憶部２０７にアクセスし、Ｓ１３０４で受付けた内容を確認する。ここで「再給紙」が選択されたときはＳ１３０６に進みＣＰＵ２０２は、給紙装置１０７からの給紙抑制を解除して、この処理を終了する。
【００７５】
一方、Ｓ１３０５でＣＰＵ２０２が「サービスコール」が選択されたと判定した場合はＳ１３０７に処理を進め、図１４（Ｂ）の画面１４０５の画面情報を取得してＵＩパネル１０２に表示させる。この画面１４０５は、画像形成装置１０１に関するサービスを発行中であることを示す画面である。更に、このときＣＰＵ２０２は、ネットワークを介して不図示のサービスコールセンタに通知を行う。そしてこの処理を終了する。
【００７６】
以上説明したように実施形態２によれば、印刷ジャムの発生時、給紙装置の給紙パラメータである風量パラメータを変更して再度給紙を試みるか、サービスコールセンタに連絡するかをユーザに選択させることができる。
【００７７】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【００７８】
本発明は上記実施形態に制限されるものではなく、本発明の精神及び範囲から離脱することなく、様々な変更及び変形が可能である。従って、本発明の範囲を公にするために、以下の請求項を添付する。
【符号の説明】
【００７９】
１０１…画像形成装置、１０２…（画像形成装置の）ＵＩパネル、１０７…給紙装置、１１１…（給紙装置の）ＵＩパネル、２０２…（画像形成装置の）ＣＰＵ、２１２…（給紙装置の）ＣＰＵ
【図１】
2018149682.tif 000003
【図２】
2018149682.tif 000004
【図３】
2018149682.tif 000005
【図４】
2018149682.tif 000006
【図５】
2018149682.tif 000007
【図６】
2018149682.tif 000008
【図７】
2018149682.tif 000009
【図８】
2018149682.tif 000010
【図９】
2018149682.tif 000011
【図１０】
2018149682.tif 000012
【図１１】
2018149682.tif 000013
【図１２】
2018149682.tif 000014
【図１３】
2018149682.tif 000015
【図１４】
2018149682.tif 000016